(57)【特許請求の範囲】
【請求項１】
側面及び下部に沿って防水層が設けられた屋外階段が建物構造体に取り付けられ、前記屋外階段の下方が居室空間の一部となっている屋外階段付き建物であって、
前記屋外階段は多数の段板を支持するささら桁を有し、前記防水層は前記屋外階段の下部及び前記ささら桁の外側面に沿って配設した防水部材を有すると共に、前記防水部材の両側部上端は前記ささら桁の上端部に固定されていることを特徴とする屋外階段付き建物。
【請求項２】
前記ささら桁の外側面に階段取付用のブラケットを前記防水部材の側部を貫通するボルトで固定して、前記防水部材を前記ささら桁とブラケットの間で保持すると共に、前記ブラケットを前記建物構造体に取り付けることを特徴とする請求項１記載の屋外階段付き建物。
【請求項３】
前記防水部材は、前記屋外階段の下部及び前記ささら桁の外側面に沿って配設した防水板と、前記防水板の外側面に沿って配設した防水シートを備え、前記ボルトが貫通する貫通孔が前記防水板に設けられていると共に、前記貫通孔の周囲に沿って延びるシール部材が前記防水板と前記ささら桁との間に介装されていることを特徴とする請求項２記載の屋外階段付き建物。
【請求項４】
前記屋外階段付建物が複数の建物ユニットを隣接配置してなるユニット建物であることを特徴とする請求項１〜３のいずれかに記載の屋外階段付き建物。
【請求項５】
前記屋外階段が、傾斜させられる左右のささら桁と、前記ささら桁間に上下に等ピッチで渡架された多数の段板と、前記段板間を閉成するケコミ板を備えると共に、前記ケコミ板の上下端部が前記段板に着脱可能に取り付けられており、
前記段板の下に配設され且つ前記ささら桁に固定された段板支持プレートが設けられ、
前記段板支持プレートの前縁部に下方に突出する係止フックが一体に設けられ、前記段板の下面に突設され且つ前記段板支持プレートを貫通するボルトと前記ボルトの下端部に螺着されたナットで前記段板が段板支持プレート上に着脱可能に取付られていると共に、前記係止フックに係止される被係止フックが前記ケコミ板の上端部に一体に設けられ、前記段板の後部と前記段板支持プレートの後部との間に挟持された保持板部が前記ケコミ板の下端部に設けられていることを特徴とする請求項１〜４のいずれかに記載の屋外階段付き建物。
【発明の詳細な説明】
【０００１】
【産業上の利用分野】
本発明は、屋外階段の下方に居室空間の一部を形成する様にした屋外階段付き建物及び階段のケコミ板取付構造に関するものである。
【０００２】
【従来の技術】
この種の屋外階段付き建物としては、例えば図１１に示したように屋上を利用しないタイプのものが考えられている。この建物は、階段付き建物ユニット１と、階段付き建物ユニット１の側方に連設した居室用建物ユニット２と、建物ユニット１，２上に配置した建物ユニット３，４等を有する。しかも、階段付き建物ユニット１は、居室部５及び屋外階段６を一体に有する。従って、屋外階段６を利用することにより２階への上がり降りができる。
【０００３】
この建物では、メンテナンスを考慮して、屋外階段６の構造として例えば図１２に示したような構造が採用できる。この屋外階段６は、図示しない左右の傾斜するささら桁と、このささら桁間に渡架され且つささら桁に沿って上下に等ピッチで配設された多数の段板７と、上下の段板７，７間を閉塞するケコミ板８を有する。しかも、段板７の前後の部分にはボルト９，１０が下方に向けて突設され、ケコミ板８の上端部が上部の段板７の下面前部にボルト９及びナット９ａで固定されていると共に、ケコミ板７の下端部が下部の段板７の下面後部にボルト１０及びナット１０ａで固定されている。
【０００４】
この様な屋外階段付き建物では、図１１に示したように、屋外階段６の下方に何も設けらていない構造であるので、屋外階段６の構造として上述のように図１３に示したような構造を採用しても、ナット９ａ，１０ａの操作を屋外階段６の下方から行って、屋外階段６の組立分解を下方から簡易に行うことが可能である。
【０００５】
また、屋外階段付き建物としては、例えば図１３に示したように全体として３階層で構成されていて、屋上を利用するようにしたタイプのものも考えられる。この建物の１階層は図示省略の基礎上に２×２の配置で固定された直方体状の４つの居室用建物ユニット１１を有し、２階層はこれら１階層の上に２×２の配置で固定された直方体状の４つの居室用建物ユニット１２を有する。また、３階層は、これら２階層の上に積み重ねられた直方体状の３つの居室用建物ユニット１３と、階段付き建物ユニット１４を有すると共に、バルコニー１５が設けられている。
【０００６】
上述の階段付き建物ユニット１４は、箱状の居室部１６と、居室部１６の外側に設けられた屋外階段１７を有する。そして、この屋外階段１７を利用することで、バルコニー１５から屋上１８に上がることができるようになっている。しかも、居室部１６内には図１４に示したように居室空間１９が形成され、屋外階段１７の下方には図１４及び図１５に示した様に居室空間１９に連続する階段下空間１９ａが形成されている。
【０００７】
【発明が解決しようとする課題】
この建物では、上述の様に階段下空間１９ａを居室空間１９の一部として使用するようにしているので、雨天時に屋外階段１７から階段下空間１９ａに雨漏りが生じないようにする必要がある。この場合、雨漏り防止のための構造はできるだけ簡易であるのが望ましい。
【０００８】
また、この雨漏り防止のための構造を屋外階段１７の下端に沿って設けた場合、屋外階段１７が階段下空間１９ａ側から見えなくなる。この構造において、図１３に示した屋外階段６の構造を屋外階段１７に代えて採用すると、屋外階段６のナット８ａ，９ａを屋外階段６の下方から操作できなくなるので、屋外階段６の組立・分解ができなくなる。この結果、図１２に示した屋外階段６の構造を屋外階段１７に採用できないものであった。
【０００９】
そこで、例えば図１６に示したような屋外階段２０を採用することが考えられる。この屋外階段２０は、段板２１の下面前部及び下面後部に下方に突出するブラケット２２及び上方に突出するブラケット２３をそれぞれ設け、ケコミ板２４の上端部及び下端部を上部の段板２０に設けたブラケット２２と下部の段板２０に設けたブラケット２３にネジ２５及び２６でそれぞれ固定する様にしたものである。この屋外階段２０の構造では、屋外階段２０の正面側からネジ２５，２６の操作ができるが、ネジ２５，２６が正面から見えるので、見栄えが損なわれるという問題がある。
【００１０】
本発明の第１の目的は、簡易な構成で雨天時に屋外階段から階段下空間に雨漏りが生じるのを防止できる屋外階段付き建物を提供することにある。
【００１１】
また、本発明の第２の目的は、階段の構造が下方から見えない配置であっても、メンテナンス等のために階段を上側から分解・組立ができる階段のケコミ板取付構造を提供することにある。
【００１２】
【課題を解決するための手段】
この第１の目的を達成するため、本発明は、屋外階段が建物構造体に取り付けられ、前記屋外階段の下方が居室空間の一部となっている屋外階段付き建物であって、前記屋外階段の側面及び下部に沿って防水層が設けられている屋外階段付き建物としたことを特徴とする。
【００１３】
この構成によれば、雨水が屋外階段から下方に漏れても、この雨水は防水層により下方の空間に漏れるのが阻止されることになる。
【００１４】
また、前記屋外階段は多数の段板を支持するささら桁を有し、前記防水層は前記屋外階段の下部及び前記ささら桁の外側面に沿って配設した防水部材を有すると共に、前記防水部材の両側部上端は前記ささら桁の上端部に固定されていることを特徴とする。
【００１５】
この構成によれば、屋外階段を組み立てる際に、防水層である防水部材を屋外階段に簡易に組み付けることができる。
【００１６】
更に、前記ささら桁の外側面に階段取付用のブラケットを前記防水部材の側部を貫通するボルトで固定して、前記防水部材を前記ささら桁とブラケットの間で保持すると共に、前記ブラケットを前記建物構造体に取り付けることを特徴とする。
【００１７】
この構成によれば、階段取付用のブラケットをささら桁に取り付けるためのボルトを挿通する貫通孔が防水部材に形成されるが、防水部材がささら桁とブラケットの間で挟持されているので、この貫通孔の部分からの雨水の漏れを防止できる。
【００１８】
また、前記防水部材は、前記屋外階段の下部及び前記ささら桁の外側面に沿って配設した防水板と、前記防水板の外側面に沿って配設した防水シートを備え、前記ボルトが貫通する貫通孔が前記防水板に設けられていると共に、前記貫通孔の周囲に沿って延びるシール部材が前記防水板と前記ささら桁との間に介装されていることを特徴とする。
【００１９】
この構成によれば、防水板に設けられた通貫通孔の部分における防水をより確実に行うことができる。
【００２０】
また、前記屋外階段付建物が複数の建物ユニットを隣接配置してなるユニット建物であることを特徴とする。この構成によれば、屋外階段を建物ユニットの一つに工場で組み付ける際に、防水層である防水部材を屋外階段に予め簡易に組み付けることができる。しかも、建物ユニット同士を組み付ける建築現場では、屋外階段付の建物ユニットを他の建物ユニットと単に組み合わせるのみで、防水部材付きの建物を構築できるので、建物ユニットの屋外階段に防水層である防水部材を組み付ける必要がなく、建物の構築が容易である。
【００２１】
更に、上述の第２の目的を達成するため、前記屋外階段が、傾斜させられる左右のささら桁と、前記ささら桁間に上下に等ピッチで渡架された多数の段板と、前記段板間を閉成するケコミ板を備えると共に、前記ケコミ板の上下端部が前記段板に着脱可能に取り付けられており、前記段板の下に配設され且つ前記ささら桁に固定された段板支持プレートが設けられ、前記段板支持プレートの前縁部に下方に突出する係止フックが一体に設けられ、前記段板の下面に突設され且つ前記段板支持プレートを貫通するボルトと前記ボルトの下端部に螺着されたナットで前記段板が段板支持プレート上に着脱可能に取付られていると共に、前記係止フックに係止される被係止フックが前記ケコミ板の上端部に一体に設けられ、前記段板の後部と前記段板支持プレートの後部との間に挟持された保持板部が前記ケコミ板の下端部に設けられていることを特徴とする。
【００２２】
この構成によれば、最下部の段板を取り外せる空間を最下部の段板の下方に設けておくことで、この段板を取り外すことにより、ケコミ板及び段板を下方のものから順次取り外すことができる。また、段板やケコミ板を組み付ける際には最上部のものから行うことにより、段板やケコミ板を簡易に組み付けることができる。また、段板間に組み付けられるケコミ板の取付部は正面側から見えないので、見栄えが損なわれることはない。
【００２３】
【発明の実施の形態】
以下、本発明の実施の形態を図１〜図１１に基づいて説明する。
【００２４】
図１は、全体として３階層で構成されていると共に、屋上を利用するタイプの屋外階段付き建物を示したものである。この建物の１階層は図示省略の基礎上に２×２の配置で固定された直方体状の４つの居室用建物ユニット３１を有し、３階層はこれら１階層の上に２×２の配置で固定された直方体状の４つの居室用建物ユニット３２を有する。また、３階層は、これら２階層の上に積み重ねられた直方体状の３つの居室用建物ユニット３３と、階段付き建物ユニット３４を有すると共に、バルコニー３５が設けられている。
【００２５】
階段付き建物ユニット３４は、箱状の居室部３６と、居室部３６の外側に設けられた屋外階段３７を有する。そして、この屋外階段３７を利用することで、バルコニー３５から屋上３８に上がることができるようになっている。しかも、居室部３６内には図２に示したように居室空間３９が形成され、屋外階段３７の下方には図２，図３に示した様に居室空間３９に連続する階段下空間３９ａが形成されている。
【００２６】
屋外階段３７は、図４，図５の如く傾斜させられる左右のささら桁４０，４０（図６（ａ），図７参照）と、図４，図６の如くささら桁４０，４０間に配設され且つ図５，図８（ａ）の如く上下に等ピッチで水平に配設された多数の段板４１と、上下左右に延びて図４，図５，図９の如く互いに隣接する上下の段板４１，４１間を閉成するケコミ板４２を備える。
【００２７】
また、各段板４１の両側部の下には図６（ａ）に示したように段板支持プレート４３，４３がそれぞれ配設されている（図７参照）。この各段板支持プレート４３は、図６（ｂ）に示したように側板部４４と、側板部４４の上縁部に連設された支持板部４５と、支持板部４５の前縁部に下方に向けて連設（突設）され且つ前側に向けられた係止フック４６を有する。支持板部４５の前後方向中間部には図６（ｂ），図９に示したように板厚分の寸法の段差４５ａが設けられていて、この段差４５ａにより支持板部４５は前側の上支持板部４５ｂと後側の下支持板部４５ｃとに分けられている。そして、上支持板部４５ｂ及び下支持板部４５ｃにはボルト挿通孔（貫通孔）４７，４８がそれぞれ形成されている。
【００２８】
段板４１の両側部には、図５，図９に示したように前後に間隔をおいて下方に突出する固定ボルト４９，５０がそれぞれ植立固定されている。この段板４１の前側の部分は図９の如く上支持板部４５ｂに当接させられ、この段板４の固定ボルト４９はボルト挿通孔４７を貫通して下方に突出させられている。そして、この固定ボルト４９の先端部（下端部）にはナット４９ａが螺着されて、このナット４９ａにより段板４１の前側の部分は上支持板部４５ｂに着脱可能に締付固定されている。
【００２９】
上下に延びるケコミ板４２の上端部には後側を向いた被係止フック５１が一体に設けられ、ケコミ板４２の下端部には前側に折曲された保持板部５２が一体に設けられている。この被係止フック５１は係止フック４６に係止され、保持板部５２は段板４１の後部と段板支持プレート４３の後部との間に介装されている。この保持板部５２にはボルト挿通孔（貫通孔）５３が形成されていて、段板４１の固定ボルト５０はボルト挿通孔５２，４８を貫通して下方に突出させられている。そして、この固定ボルト５０の先端部（下端部）にはナット５０ａが螺着されて、このナット５０ａによりケコミ板４２の保持板部５１は段板４１の後側の部分と下支持板部４５ｂとの間に着脱可能に挟持固定されている。
【００３０】
図４〜図６（ａ）及び図７において、６０は屋外階段３７の側面及び下部に沿う扁平防水部材（防水層）である。
【００３１】
この扁平防水部材（扁平防水手段）６０は、底板部６１ａと左右の側板部６１ｂ，６１ｂから断面Ｕ字状に形成された防水板６１を有する。この防水板６１は、斜め上下に延び、且つ、底板部６１ａ及び側板部６１ｂ，６１ｂが屋外階段３７の下部及びささら桁４０の外側面に沿って配設されている。また、扁平防水部材６０は、防水板６１の外側面に沿って配設した防水シート６２を備える。この防水板６１には断面Ｕ字状の塩ビ鋼板すなわち断面Ｕ字状の薄板鋼板の表面を塩化ビニールの薄膜層で覆ったものが用いられている。また、防水シート６２にはゴム引き布が用いられている。この防水シート６２の左右の上縁部には、防水シート６２の上縁部を直線状に保形する保持板６２がそれぞれ一体に固着されている。そして、ささら桁４０の上縁部外側面にはブラケット６３が溶接固定され、このブラケット６３には保持板６２及び防水板６１の側板部６１ｂがネジ６４により固定されている。
【００３２】
また、ささら桁４０の長手方向の端部、即ち斜め上下に延びるささら桁４０の上端部４０ａ及び下端部４０ｂには、図８（ｃ）に示したように斜め上下に近接して形成された一対の貫通孔６５，６５がそれぞれ形成されている。各貫通孔６５には固定ボルト６６がささら桁４０の内側から外側に向けて挿通されている。このボルト６６の頭部６６ａは、ささら桁４０に溶接固定されていると共に、コーキング処理されて、ささら桁４０の内面との間の気密性を確保している。
【００３３】
更に、扁平防水部材６０には図８（ｂ），（ｃ）に示したように一対の固定ボルト６６，６６を挿通する長方形の貫通孔６７が形成されている。また、防水板６１とささら桁４０との間には、貫通孔６７に沿って延びる内外二重の環状のシール部材Ｓ１，Ｓ２が介装されている。このシール部材Ｓ１，Ｓ２には両面接着タイプのものが用いられている。このシール部材Ｓ１，Ｓ２は、防水板６１とささら桁４０に気密に接着固定されて、貫通孔６７の周囲をシールしている。
【００３４】
また、この貫通孔６７の側方には取付ブラケット６８が配設されている。この取付ブラケット６８は、貫通孔６７に沿って斜め上下に延び且つ貫通孔６７を覆う長方形状のベース板６９と、ベース板６９の上端部の開放端側が溶接固定された上下に延びるチャンネル状のブラケット７０を備えている。そして、上述の固定ボルト６６がベース板６９を貫通し、このベース板６９とささら桁４０との間には固定ボルト６６の外周に嵌挿したスペーサ７１が介装されている。しかも、この固定ボルト６６の先端部にはナット６６ｂが螺着されている。このナット６６ｂを締め付けることにより、ベース板６９がささら板４０に固定されている。
【００３５】
そして、ブラケット７０の下端部は、階段付き建物ユニット３４の図示しないフレーム（建物構造体）の支持部材７２にボルト７３，７３及びナット７４，７４で固定されている。
【００３６】
また、上述の扁平防水部材６０の下方には、扁平防水部材６０の下面に沿って傾斜させられた石膏ボード７５が配設されている。この石膏ボード７５は図示しない位置で建物ユニット３４の建物構造体に取り付けられている。この石膏ボード７５と扁平防水部材６０との間には断熱材７６が介装されている。
【００３７】
更に、最下部の段板４１と扁平シール部材６０の下端部との間には、屋外階段３７をメンテナンス等のために分解する際、手等を挿入できる作業用空間８０が形成されている。
【００３８】
次に、この様な構成の建物における屋外階段３７の作用や、屋外階段３７をメンテナンス等のために分解したり組立したりするときの手順について説明する。
【００３９】
この構成によれば、雨水が屋外階段３７から下方に漏れても、この雨水は防水層６０を構成する防水板６１の底壁６１ａに沿ってバルコニー３５まで流下して、この流下した雨水はバルコニー３５に設けられる図示しない排水パイプを排水されることになり、雨水が屋外階段３７の下方の階段下空間３９ａに漏れるのは阻止されることになる。
【００４０】
この際、ささら桁４０と防水板６１との間に雨水が侵入し、この侵入した雨水が取付ブラケット６８をささら桁４０に取り付けるボルト６６側に流れようとしても、この雨水はシール部材Ｓ１，Ｓ２によりボルト６６側に流れるのを阻止される。また、頭部６６ａはコーキング処理されて、頭部６６ａとささら桁４０との間の気密が確保されているので、ささら桁４０の内側面に沿って雨水が流下し、この雨水がボルト６６の頭部６６ａの周囲を流れても、雨水が貫通孔６５を介してシール部材Ｓ１の内側に侵入しようとするのが頭部６６ａとささら桁４０との間で阻止される。
【００４１】
また、屋外階段３７をメンテナンス等のために分解したり組立したりする必要がある場合には、作業用空間８０から工具及び手を入れて、最下部の段板４１を固定しているナット４９ａ，５０ａを工具によりボルト４９，５０から取り外すことで、最下部の段板４１を段板支持プレート４３から取り外すことができる。そして、この段板４１を最下部の段板支持プレート４３から取り外すと、この最下部の段板４１で最下部の段板支持プレート４３に固定されていたケコミ板４２の下端部が自由になる。この自由になったケコミ板４２の被係止フック５１を１段上の段板支持プレート４３に設けた係止フック４６から取り外すことにより、１段上の段板４１を固定するナット４９ａ，５０ａが斜め下方から見えるように露出する。この状態で、ナット４９ａ，５０ａを取り外すことにより、１段上の段板４１を取り外すことができる。
【００４２】
従って、この様にして順次１段上の段板４１，ケコミ板４２を取り外すことにより、屋外階段３７の多数の段板４１及びケコミ板４２を最上段までささら桁４０から取り外すことができる。また、この様にして取り外した段板４１及びケコミ板４２は、逆に最上段のものから最下部まで上述とは逆の手順でささら桁４０に組み付けることができる。
【００４３】
【発明の効果】
以上説明したように、本発明は、屋外階段が建物構造体に取り付けられ、前記屋外階段の下方が居室空間の一部となっている屋外階段付き建物であって、前記屋外階段の側面及び下部に沿って防水層が設けられている構成としたので、雨水が屋外階段から下方に漏れても、この雨水が下方の空間に漏れるのを簡易な構成の防水層により阻止できる。
【００４４】
また、前記屋外階段は多数の段板を支持するささら桁を有し、前記防水層は前記屋外階段の下部及び前記ささら桁の外側面に沿って配設した防水部材を有すると共に、前記防水部材の両側部上端は前記ささら桁の上端部に固定されている構成としたので、屋外階段を組み立てる際に、防水層である防水部材を屋外階段に簡易に組み付けることができる。
【００４５】
更に、前記ささら桁の外側面に階段取付用のブラケットを前記防水部材の側部を貫通するボルトで固定して、前記防水部材を前記ささら桁とブラケットの間で保持すると共に、前記ブラケットを前記建物構造体に取り付ける構成としたので、階段取付用のブラケットをささら桁に取り付けるためのボルトを挿通する貫通孔が防水部材に形成されるが、防水部材がささら桁とブラケットの間で挟持されているので、この貫通孔の部分からの雨水の漏れを防止できる。
【００４６】
また、前記防水部材は、前記屋外階段の下部及び前記ささら桁の外側面に沿って配設した防水板と、前記防水板の外側面に沿って配設した防水シートを備え、前記ボルトが貫通する貫通孔が前記防水板に設けられていると共に、前記貫通孔の周囲に沿って延びるシール部材が前記防水板と前記ささら桁との間に介装されている構成としたので、防水板に設けられた通貫通孔の部分における防水をより確実に行うことができる。
【００４７】
また、前記屋外階段付建物が複数の建物ユニットを隣接配置してなるユニット建物である構成としたので、屋外階段を建物ユニットの一つに工場で組み付ける際に、防水層である防水部材を屋外階段に予め簡易に組み付けることができる。しかも、建物ユニット同士を組み付ける建築現場では、屋外階段付の建物ユニットを他の建物ユニットと単に組み合わせるのみで、防水部材付きの建物を構築できるので、建物ユニットの屋外階段に防水層である防水部材を組み付ける必要がなく、建物の構築が容易である。
【００４８】
更に、屋外階段が、傾斜させられる左右のささら桁と、前記ささら桁間に上下に等ピッチで渡架された多数の段板と、前記段板間を閉成するケコミ板を備えると共に、前記ケコミ板の上下端部が前記段板に着脱可能に取り付けられており、前記段板の下に配設され且つ前記ささら桁に固定された段板支持プレートが設けられ、前記段板支持プレートの前縁部に下方に突出する係止フックが一体に設けられ、前記段板の下面に突設され且つ前記段板支持プレートを貫通するボルトと前記ボルトの下端部に螺着されたナットで前記段板が段板支持プレート上に着脱可能に取付られていると共に、前記係止フックに係止される被係止フックが前記ケコミ板の上端部に一体に設けられ、前記段板の後部と前記段板支持プレートの後部との間に挟持された保持板部が前記ケコミ板の下端部に設けられている構成としたので、最下部の段板を取り外せる空間を最下部の段板の下方に設けておくことで、この段板を取り外すことにより、ケコミ板及び段板を下方のものから順次取り外すことができる。
また、段板やケコミ板を組み付ける際には最上部のものから行うことにより、段板やケコミ板を簡易に組み付けることができる。更に、段板間に組み付けられるケコミ板の取付部は正面側から見えないので、見栄えが損なわれることはない。
【図面の簡単な説明】
【図１】この発明に係る屋外階段付き建物の概略斜視図である。
【図２】図１の一部を取り出して別の角度から見た屋外階段付き建物の概略斜視図である。
【図３】図１の屋外階段の部分を含む概略縦断面図である。
【図４】図１〜図３に示した屋外階段の一部を示す概略斜視図である。
【図５】図１〜図５の屋外階段を幅方向中央から縦に段面して示した説明図である。
【図６】（ａ）は図１〜図５の屋外階段を建物への取付部の部分において幅方向に縦に断面して示した説明図、（ｂ）は（ａ）の段板支持プレートの斜視図である。
【図７】図６（ａ）の部分拡大説明図である。
【図８】（ａ）は図６（ａ）、図７に示した取付ブラケットと屋外階段との関係を示す説明図、（ｂ）は図８（ａ）の要部拡大説明図、（ｃ）は（ｂ）取付ブラケットを除いた部分の説明図である。
【図９】図５の一部を取り出して示した説明図である。
【図１０】図９に示した段板及びケコミ板の分解斜視図である。
【図１１】従来の屋外階段付き建物の一例を示す概略斜視図である。
【図１２】図１１に示した屋外階段の構造例を示す要部断面図である。
【図１３】従来の屋外階段付き建物の他の例を示す概略斜視図である。
【図１４】図１３の一部を取り出して別の角度から見た屋外階段付き建物の概略斜視図である。
【図１５】図１３の屋外階段の部分を含む概略縦断面図である。
【図１６】図１３に示した屋外階段の構造例を示す要部断面図である。
【符号の説明】
３７・・・屋外階段
４０・・・ささら桁
４１・・・段板
４２・・・ケコミ板
４３・・・段板支持プレート
４６・・・係止フック
４９，５０・・・ボルト
４９ａ，５０ａ・・・ナット
５１・・・被係止フック
５２・・・保持板部
６０・・・扁平防水部材（防水層）
６１・・・防水板
６２・・・防水シート
６６・・・ボルト
６７・・・貫通孔
６８・・・取付ブラケット
Ｓ１，Ｓ２・・・シール部材
【図１】
0004087955.tif 000002
【図２】
0004087955.tif 000003
【図３】
0004087955.tif 000004
【図４】
0004087955.tif 000005
【図５】
0004087955.tif 000006
【図６】
0004087955.tif 000007
【図７】
0004087955.tif 000008
【図８】
0004087955.tif 000009
【図９】
0004087955.tif 000010
【図１０】
0004087955.tif 000011
【図１１】
0004087955.tif 000012
【図１２】
0004087955.tif 000013
【図１３】
0004087955.tif 000014
【図１４】
0004087955.tif 000015
【図１５】
0004087955.tif 000016
【図１６】
0004087955.tif 000017